(57)【要約】【課題】　複数の撮像装置を用いた遠隔カメラシステムにおいて、手間をかけることなく複数の撮像装置により取得された複数の画像データを一元的に保管する。【解決手段】　デジタルカメラ１Ａをマスターカメラ、デジタルカメラ１Ｂ，１Ｃ，１Ｄをスレーブカメラに設定し、デジタルカメラ１Ａの撮影動作によりデジタルカメラ１Ｂ，１Ｃ，１Ｄにおいても撮影を行うようにする。デジタルカメラ１Ａのシャッタボタンを押下すると、全てのデジタルカメラ１Ａ〜１Ｄにおいて撮影が行われて画像データが取得される。各画像データには重複しない異なるファイル名が付与されてカメラサーバ２に送信され、ここで画像データが保管される。【選択図】　　　　　図１
2004140795.tif 000002
【特許請求の範囲】
【請求項１】
　複数の撮像装置をネットワークを介して連携させて操作し、一度の撮影操作により前記複数の撮像装置のそれぞれにおいて撮影を行って画像データを取得する撮像装置制御方法において、
　前記複数の撮像装置により取得された前記複数の画像データを一元的に管理することを特徴とする撮像装置制御方法。
【請求項２】
　前記複数の撮像装置により取得された前記複数の画像データのそれぞれに異なるファイル名を付与して一元的に保管することを特徴とする請求項１記載の撮像装置制御方法。
【請求項３】
　前記管理を、前記複数の画像データのそれぞれについての撮影時の状況を表す撮影状況情報に基づいて行うことを特徴とする請求項１または２記載の撮像装置制御方法。
【請求項４】
　前記管理を前記複数の撮像装置のうちの一の撮像装置において行うことを特徴とする請求項１から３のいずれか１項記載の撮像装置制御方法。
【請求項５】
　複数の撮像装置をネットワークを介して連携させて操作し、一度の撮影操作により前記複数の撮像装置のそれぞれにおいて撮影を行って画像データを取得する撮像装置制御装置において、
　前記複数の撮像装置により取得された前記複数の画像データを一元的に管理する管理手段を備えたことを特徴とする撮像装置制御装置。
【請求項６】
　前記管理手段は、前記複数の撮像装置により取得された前記複数の画像データのそれぞれに異なるファイル名を付与して一元的に保管する保管手段を備えたことを特徴とする請求項５記載の撮像装置制御装置。
【請求項７】
　前記管理手段は、前記管理を、前記複数の画像データのそれぞれについての撮影時の状況を表す撮影状況情報に基づいて行う手段であることを特徴とする請求項５または６記載の撮像装置制御装置。
【請求項８】
　前記複数の撮像装置のうちの一の撮像装置に設けられてなることを特徴とする請求項５から７のいずれか１項記載の撮像装置制御装置。
【請求項９】
　複数の撮像装置をネットワークを介して連携させて操作し、一度の撮影操作により前記複数の撮像装置のそれぞれにおいて撮影を行って画像データを取得する撮像装置制御方法をコンピュータに実行させるためのプログラムにおいて、
　前記複数の撮像装置により取得された前記複数の画像データを一元的に管理する手順を有するプログラム。
【請求項１０】
　前記複数の撮像装置により取得された前記複数の画像データのそれぞれに異なるファイル名を付与して一元的に保管する手順をさらに有する請求項９記載のプログラム。
【請求項１１】
　前記管理する手順は、前記管理を、前記複数の画像データのそれぞれについての撮影時の状況を表す撮影状況情報に基づいて行う手順である請求項９または１０記載のプログラム。
【発明の詳細な説明】
【技術分野】
【０００１】
動作を制御するに際し、複数の撮像装置において取得された複数の画像データを保管する撮像装置制御方法および装置並びに撮像装置制御方法をコンピュータに実行させるためのプログラムに関するものである。
【背景技術】
【０００２】
　遠隔地に設置されたカメラの映像をネットワークを介して鑑賞できるようにする遠隔カメラシステムが提案されている。このような遠隔カメラシステムは、単にカメラの映像を見ることができるだけでなく、カメラの向きやズーム倍率をも遠隔地から操作することができるものである。また、このような遠隔カメラシステムにおいて、１つのカメラから複数のカメラの動作を制御する方法も提案されている（例えば特許文献１参照）。
【特許文献１】特開２０００−１１３１６６号公報
【発明の開示】
【発明が解決しようとする課題】
【０００３】
　ところで、上記遠隔カメラシステムを、デジタルカメラに適用することも可能である。具体的には、複数のユーザの各々がデジタルカメラを所持している場合に、一のユーザがデジタルカメラを用いて撮影を行うと、他のユーザのデジタルカメラにおいても同時にあるいは連続して撮影を行わせることも可能である。このように、複数のデジタルカメラを連携させて操作することにより、様々なアングルから１つの被写体を同時に撮影することが可能となり、撮影の楽しみを広げることができる。また、複数のカメラによりそれぞれ取得された画像データを一元的に保管することにより、画像データの配布や画像データを用いてのアルバム作成等を容易に行うことが可能となる。
【０００４】
　しかしながら、各カメラにおいては撮影した順にシリアルにファイル名が付与されるため、複数のカメラにより取得された画像データを一元的に保管すると、ファイル名が重複する場合がある。このようにファイル名が重複すると、保管時にオペレータがファイル名を変更する作業を行う必要があるため、その作業が煩わしいものとなる。さらには、ファイル名が重複する画像データが上書きされてしまって、画像データが消失するおそれもある。
【０００５】
　本発明は上記事情に鑑みなされたものであり、手間をかけることなく複数の撮像装置により取得された複数の画像データを一元的に保管および管理することを目的とする。
【課題を解決するための手段】
【０００６】
　本発明による撮像装置制御方法は、複数の撮像装置をネットワークを介して連携させて操作し、一度の撮影操作により前記複数の撮像装置のそれぞれにおいて撮影を行って画像データを取得する撮像装置制御方法において、
　前記複数の撮像装置により取得された前記複数の画像データを一元的に管理することを特徴とするものである。
【０００７】
　「撮像装置」とは、被写体を撮影することにより被写体の画像を表すデジタルの画像データを取得する撮影専用のデジタルカメラのみならず、携帯電話やＰＤＡ等の通信機能を有する携帯端末装置に搭載されるデジタルカメラをも含む。
【０００８】
　なお、本発明による撮像装置制御方法においては、前記複数の撮像装置により取得された前記複数の画像データのそれぞれに異なるファイル名を付与して一元的に保管するようにしてもよい。
【０００９】
　「異なるファイル名」とは、複数の画像データ間で重複しないファイル名を意味し、具体的には保管する順にシリアルに付与されるファイル名、撮像装置毎に異なる記号（例えば撮像装置Ａには「Ａ」の文字を必ず付与する等）を付与したファイル名等を用いることができる。
【００１０】
　また、ファイル名は画像データの保管時に異なるものとなっていればよい。例えば、複数の撮像装置において画像データの取得時に異なるファイル名を付与してもよく、複数の画像データの保管時において撮影時に画像データに付与されたファイル名を異なるファイル名に変更してもよい。
【００１１】
　また、本発明による撮像装置制御方法においては、前記複数の画像データの管理を、前記複数の画像データのそれぞれについての撮影時の状況を表す撮影状況情報に基づいて行うようにしてもよい。
【００１２】
　「撮影状況情報」とは、画像データがどのような撮像装置においてどのような操作により取得されたかを表す情報であり、撮像装置の種別を表す情報、連係操作により撮像されたか、単独操作により撮像されたかを表す情報等を用いることができる。
【００１３】
　なお、撮影状況情報は、保管された画像データの一覧表示時に、画像データのファイル名とともに表示することが好ましい。
【００１４】
　また、本発明による撮像装置制御方法においては、前記管理を前記複数の撮像装置のうちの一の撮像装置において行うようにしてもよい。
【００１５】
　本発明による撮像装置制御装置は、複数の撮像装置をネットワークを介して連携させて操作し、一度の撮影操作により前記複数の撮像装置のそれぞれにおいて撮影を行って画像データを取得する撮像装置制御装置において、
　前記複数の撮像装置により取得された前記複数の画像データを一元的に管理する管理手段を備えたことを特徴とするものである。
【００１６】
　なお、本発明による撮像装置制御装置においては、前記管理手段を、前記複数の撮像装置により取得された前記複数の画像データのそれぞれに異なるファイル名を付与して一元的に保管する保管手段をさらに備えるものとしてもよい。
【００１７】
　また、本発明による撮像装置制御装置においては、前記管理手段を、前記管理を、前記複数の画像データのそれぞれについての撮影時の状況を表す撮影状況情報に基づいて行う手段としてもよい。
【００１８】
　また、本発明による撮像装置制御装置を、前記複数の撮像装置のうちの一の撮像装置に設けてもよい。
【００１９】
　なお、本発明による撮像装置制御方法をコンピュータに実行させるためのプログラムとして提供してもよい。
【発明の効果】
【００２０】
　本発明によれば、複数の撮像装置により取得された画像データが一元的に管理される。このため、複数の撮像装置のそれぞれにおいて取得した画像データを各撮像装置に保管しておくことにより、ファイル名を変更したり、画像データを上書きすることなく、管理先において複数の撮像装置において取得された画像データの管理を行うことができる。
【００２１】
　また、複数の撮像装置により取得された画像データのそれぞれに、異なるファイル名を付与して一元的に保管することにより、画像データを一元的に保管してもファイル名が重複することがなくなり、オペレータが画像データの保管時にファイル名を変更する作業を行う必要がなくなる。また、画像データを上書きしてしまうことにより画像データが消失することを防止できる。
【００２２】
　また、複数の画像データのそれぞれについての撮影時の状況を表す撮影状況情報に基づいて管理を行うことにより、撮影状況情報を参照すれば画像データがどの撮像装置においてどのような動作により取得されたかを容易に知ることができる。
【００２３】
　また、管理を複数の撮像装置のうちの一の撮像装置において行うことにより、画像データを管理するためのサーバ等の手段をとくに設けることなく、画像データを管理することができる。
【発明を実施するための最良の形態】
【００２４】
　以下図面を参照して本発明の実施形態について説明する。図１は本発明の実施形態による撮像装置制御装置を用いた遠隔カメラシステムの構成を示す概略ブロック図である。図１に示すように、本実施形態による遠隔カメラシステムは、複数（ここでは４台）のデジタルカメラ１Ａ，１Ｂ，１Ｃ，１Ｄおよびカメラサーバ２がネットワーク３により接続されてなり、デジタルカメラ１Ａ〜１Ｄにおいて取得した画像データをカメラサーバ２に送信し、カメラサーバ２において画像データの保管および管理を行うものである。なお、本実施形態においては、ネットワーク３は無線ＬＡＮを用いるものとするが、デジタルカメラ１Ａ〜１Ｄを互いに遠隔操作できるものであれば、いかなるネットワークを用いてもよい。
【００２５】
　本実施形態においては、デジタルカメラ１Ａをマスターカメラ、デジタルカメラ１Ｂ，１Ｃ，１Ｄをスレーブカメラと設定し、デジタルカメラ１Ａにおいて撮影動作を行うと、これと同時にデジタルカメラ１Ｂ，１Ｃ，１Ｄにおいて撮影を行うように、デジタルカメラ１Ｂ，１Ｃ，１Ｄの動作が制御されるものとする。
【００２６】
　なお、マスターカメラに設定されたデジタルカメラ１Ａは、デジタルカメラ１Ｂ，１Ｃ，１Ｄに撮影を行わせることなく単独で撮影を行うことが可能である。また、スレーブカメラに設定されたデジタルカメラ１Ｂ，１Ｃ，１Ｄは、デジタルカメラ１Ａからの撮影指示を受けることなく、単独で撮影を行うことが可能である。ここで、各デジタルカメラ１Ａ〜１Ｄが単独で撮影することにより取得した画像データは、カメラサーバ２に送信してもよいが、各デジタルカメラ１Ａ〜１Ｄのメモリカードに保管しておいてもよい。
【００２７】
　図２はデジタルカメラ１Ａの構成を示す背面斜視図である。なお、デジタルカメラ１Ｂ，１Ｃ，１Ｄはデジタルカメラ１Ａと同一の構成を有するため説明を省略する。図２に示すようにデジタルカメラ１Ａは、撮影しようとしている画像やメニュー等の種々の表示を行うモニタ１１と、シャッタボタン１２と、無線ＬＡＮによる通信を行う無線ＬＡＮチップ１３と、種々の入力を行う十字キー１４Ａを含む入力手段１４と、音声出力を行うスピーカ１５とを備えてなる。また、デジタルカメラ１Ａの内部には、シャッタボタン１２の半押し動作により、撮影通知情報をデジタルカメラ１Ｂ，１Ｃ，１Ｄに送信する撮影通知手段１６を備える。
【００２８】
　モニタ１１には、デジタルカメラ１Ａ自身が撮影しようとしている画像およびデジタルカメラ１Ｂ，１Ｃ，１Ｄが撮影しようとしている画像の双方が表示される。図３は、モニタ１１に表示される画像を示す図である。図３に示すように、モニタ１１には、デジタルカメラ１Ａが撮影しようとする画像を表示するウィンドウ１１Ａおよびデジタルカメラ１Ｂ，１Ｃ，１Ｄが撮影しようとする画像を表示するウィンドウ１１Ｂ，１１Ｃ，１１Ｄが表示される。なお、図３に示すようにウィンドウ１１Ａはデジタルカメラ１Ａが撮影しようとする画像であるため、他のウィンドウ１１Ｂ，１１Ｃ，１１Ｄと比較してサイズが大きいものとなっている。
【００２９】
　ここで、他のウィンドウ１１Ｂ，１１Ｃ，１１Ｄはウィンドウ１１Ａと比較してサイズが小さいため、表示された画像が見にくい場合がある。このため、ウィンドウ１１Ｂ，１１Ｃ，１１Ｄには、撮影しようとする画像の中心部分のみを表示してもよい。また、入力手段１４により選択したウィンドウ１１Ｂ，１１Ｃ，１１Ｄを拡大してモニタ１１に表示してもよい。
【００３０】
　また、図４に示すように、デジタルカメラの数に応じて単にモニタ１１の画面を分割して、各デジタルカメラ１Ａ〜１Ｄにおいて撮影しようとする画像を表示してもよい。
【００３１】
　シャッタボタン１２は、半押し動作によりフォーカスおよび測光を行い、全押し動作によりシャッタを駆動して撮影を行うものである。ここで、本実施形態においては、シャッタボタン１２の半押し動作により、撮影通知手段１６が駆動され、無線ＬＡＮチップ１３からネットワーク３経由で、デジタルカメラ１Ｂ，１Ｃ，１Ｄに対して撮影通知情報が送信される。撮影通知情報はこれから撮影が行われることをデジタルカメラ１Ｂ，１Ｃ，１Ｄに通知するための情報であり、デジタルカメラ１Ｂ，１Ｃ，１Ｄは、撮影通知情報に基づいてデジタルカメラ１Ｂ，１Ｃ，１Ｄのユーザに撮影通知を行う。
【００３２】
　具体的には、チャイム音、ビープ音、「撮影します」、「カメラを構えて下さい」の音声をデジタルカメラ１Ｂ，１Ｃ，１Ｄのスピーカ１５から出力させることにより撮影通知を行えばよい。また、デジタルカメラ１Ｂ，１Ｃ，１Ｄのモニタ１１に、「撮影します」、「カメラを構えて下さい」等のメッセージを表示して撮影通知を行ってもよく、メッセージと音声とを組み合わせて撮影通知を行ってもよい。さらには、モニタ１１自体を点滅させたり、モニタ１１の表示色を反転させたり、カメラ自体を振動させる等して撮影通知を行ってもよい。
【００３３】
　そしてこのように撮影通知が行われた後、デジタルカメラ１Ａのシャッタボタン１２を全押しすることにより、デジタルカメラ１Ａにおいて撮影が行われるとともに、デジタルカメラ１Ｂ，１Ｃ，１Ｄにおいても同時に撮影が行われる。なお、撮影のタイミングは同時のみならず、一定時間遅延させて、順次デジタルカメラ１Ｂ，１Ｃ，１Ｄにおいて連続した撮影を行わせるものであってもよい。
【００３４】
　無線ＬＡＮチップ１３は、無線ＬＡＮによるネットワーク３経由の通信を行うためのものであり、通信に必要な認証情報を記憶するメモリ、通信インターフェース等を備えてなるものである。
【００３５】
　カメラサーバ２は、デジタルカメラ１Ａ〜１Ｄにおいて取得された画像データを保管および管理するためのものであり、大容量のハードディスク２Ａを備えてなる。本実施形態においては、デジタルカメラ１Ａが撮影を行うことにより、デジタルカメラ１Ｂ，１Ｃ，１Ｄにおいて同時に撮影が行われて、各デジタルカメラ１Ａ〜１Ｄにおいて同時に４つの画像データが取得されるが、各デジタルカメラ１Ａ〜１Ｄからは画像データがカメラサーバ２に送信されて、ここで画像データが保管される。
【００３６】
　ここで、通常は各デジタルカメラ１Ａ〜１Ｄにおいて取得された画像データにはシリアルにファイル名が付与される。例えば、図５（ａ）に示すように、デジタルカメラ１Ａ〜１Ｄのそれぞれにおいて同時に取得された画像データには、それぞれ同一のファイル名が付与される。このため、各デジタルカメラ１Ａ〜１Ｄにより取得された画像データをカメラサーバ２に送信して保管すると、ファイル名が重複するため、カメラサーバ２のオペレータがファイル名を変更する作業を行う必要がある。また、ファイル名が重複する画像データが上書きされて、画像データが消失してしまうおそれもある。
【００３７】
　本実施形態においては、遠隔カメラシステムを構成するデジタルカメラの数に応じて、カメラサーバ２に保管した際に画像データのファイル名が重複しないように、各デジタルカメラ１Ａ〜１Ｄにおいて画像データにファイル名が付与される。例えば、本実施形態においては４台のデジタルカメラ１Ａ〜１Ｄが用いられていることから、図５（ｂ）に示すように、撮影回数が増えるに応じて、デジタルカメラ１ＡにおいてはDSCA0001.JPG，DSCA0005.JPG，DSCA0009.JPG…、デジタルカメラ１ＢにおいてはDSCA0002.JPG，DSCA0006.JPG，DSCA0010.JPG…、デジタルカメラ１ＣにおいてはDSCA0003.JPG，DSCA0007.JPG，DSCA0011.JPG…、デジタルカメラ１ＤにおいてはDSCA0004.JPG，DSCA0008.JPG，DSCA0012.JPG…のように、数字が４ずつ増加するファイル名が付与される。
【００３８】
　また、各デジタルカメラ１Ａ〜１Ｄにおいて図５（ａ）に示すようなファイル名またはTMP0002.JPGのような一時的なファイル名を付与しておき、カメラサーバ２に画像データが送信されて保管される際に、カメラサーバ２が図５（ｂ）に示すように画像データのファイル名を変更してもよい。
【００３９】
　また、カメラサーバ２は、ファイル名とともにデジタルカメラ１Ａ〜１Ｄの機種、カメラを識別するＩＤ、マスターカメラかスレーブカメラであるかの情報および画像データの保管場所等を管理する。この情報の管理はカメラサーバ２に保管されたファイル名管理リストにより行われる。
【００４０】
　図６はファイル名管理リストを示す図である。図６に示すように、ファイル名管理リストには、カメラサーバ２に保管されている画像データのファイル名の一覧が含まれる。各ファイル名には、同一の撮影指示により取得された画像データであるか単独の撮影により取得された画像データであるかを表す撮影指示情報、カメラ機種およびカメラＩＤを表すカメラ機種情報、そのデジタルカメラがマスターカメラであるかスレーブカメラであるかを表すマスタースレーブ情報および画像データの保管場所のフォルダ名を表す保管場所情報が付与される。
【００４１】
　撮影指示情報は、「０１」等の記号により表されるものであり、図６においては、DSCA0001.JPG，DSCA0002.JPG，DSCA0003.JPG，DSCA0004.JPGに「０１」が、DSCA0005.JPG，DSCA0006.JPG，DSCA0007.JPG，DSCA0008.JPGに「０２」が、DSCA0009.JPG，DSCA0010.JPG，DSCA0011.JPG，DSCA0012.JPGに「０３」が付与されており、同一の撮影指示情報が付与された画像データは、一度の撮影により取得された画像データであることが分かる。なお、各デジタルカメラ１Ａ〜１Ｄにおいて単独で撮影を行った場合には、撮影指示情報の欄は「０」が付与されるかまたはブランクとされる。ここで、撮影指示情報は、画像データのヘッダやＥｘｉｆのタグ（画像データがＥｘｉｆ形式の場合）等に付与しておけばよい。
【００４２】
　カメラ機種情報は、具体的には「Ｆ６０２＿１Ａ」（デジタルカメラ１Ａ）、「Ｆ４００＿１Ｂ」（デジタルカメラ１Ｂ）、「Ｆ４００＿１Ｃ」（デジタルカメラ１Ｃ）、「Ｆ６０１＿１Ｄ」（デジタルカメラ１Ｄ）というように機種名（本実施形態においてはＦ６０２、Ｆ４００、Ｆ６０１）およびカメラＩＤ（本実施形態においては１Ａ〜１Ｄ）の組み合わせからなる。
【００４３】
　マスタースレーブ情報は、マスターカメラであることを表す「Ｍ」の記号およびスレーブカメラであることを表す「Ｓ１」、「Ｓ２」、「Ｓ３」の記号からなる。
【００４４】
　保管場所情報は「ｃ：￥ｐｉｃｔ￥」のようにフォルダ名からなる。
【００４５】
　このようなファイル名管理リストは、カメラサーバ２に新たな画像データが送信されて保管されると、新たに保管された画像データが一覧に追加されて更新される。
【００４６】
　なお、上述したように各デジタルカメラ１Ａ〜１Ｄが単独で撮影を行って画像データをカメラサーバ２に送信することもあるため、各デジタルカメラ１Ａ〜１Ｄは、撮影を行った後にカメラサーバ２にアクセスしてカメラサーバ２に保管されている画像データのファイル名に連続するファイル名を、カメラサーバ２から受け取るようにしてもよい。この場合、カメラサーバ２は各デジタルカメラ１Ａ〜１Ｄにファイル名を渡した時点においてファイル名管理リストを更新してもよいが、各デジタルカメラ１Ａ〜１Ｄにおいて画像データにファイル名が付与されたことを確認した後にファイル名管理リストを更新することが好ましい。この確認は、各デジタルカメラ１Ａ〜１Ｄからカメラサーバ２に送信されたその旨を表す情報に基づいて行ってもよいが、各デジタルカメラ１Ａ〜１Ｄから送信された画像データを受信した時点で行ってもよい。
【００４７】
　次いで、本実施形態において行われる処理について説明する。図７は、本実施形態において行われる処理を示すフローチャートである。まず、マスターカメラであるデジタルカメラ１Ａにより、シャッタボタン１２が全押しされて撮影指示がなされたか否かが監視されており（ステップＳ１）、ステップＳ１が肯定されると、デジタルカメラ１Ａにより撮影が行われ（ステップＳ２）、撮影により取得された画像データにファイル名が付与されて（ステップＳ３）、ファイル名が付与された画像データがカメラサーバ２に送信される（ステップＳ４）。
【００４８】
　これと同時に、他のデジタルカメラ１Ｂ，１Ｃ，１Ｄにより撮影が行われ（ステップＳ５）、撮影により取得された画像データにファイル名が付与されて（ステップＳ６）、ファイル名が付与された画像データがカメラサーバ２に送信される（ステップＳ７）。
【００４９】
　このファイル名は、図５（ｂ）に示すように、画像データをカメラサーバ２に保管した際に重複しないように付与される。
【００５０】
　そして、カメラサーバ２においては、画像データが受信され（ステップＳ８）、受信された画像データが保管され（ステップＳ９）、さらにファイル名管理リストが更新され（ステップＳ１０）、処理を終了する。
【００５１】
　このように、本実施形態においては、デジタルカメラ１Ａ〜１Ｄより取得された画像データのそれぞれに対し、重複しないように異なるファイル名を付与してカメラサーバ２において一元的に保管するようにしたため、ファイル名が重複することがなくなり、カメラサーバ２のオペレータが保管時にファイル名を変更する作業を行う必要がなくなる。また、画像データを上書きすることにより画像データが消失してしまうことを防止できる。
【００５２】
　また、ファイル名管理リストをカメラサーバ２において管理しているため、ファイル名管理リストを参照することにより、カメラサーバ２に保管された画像データがどのデジタルカメラにおいてどのような動作により取得されたかを容易に知ることができる。
【００５３】
　なお、上記実施形態においては、カメラサーバ２に各デジタルカメラ１Ａ〜１Ｄにより取得された画像データを保管しているが、カメラサーバ２にはファイル名管理リストのみを保管し、各デジタルカメラ１Ａ〜１Ｄにより取得された画像データを各デジタルカメラ１Ａ〜１Ｄにおいて保管してもよい。
【００５４】
　この場合、カメラサーバ２に各デジタルカメラ１Ａ〜１Ｄにより取得された画像データを保管する場合とは異なり、各デジタルカメラ１Ａ〜１Ｄにおいて同時に取得した画像データに対しても、図５（ａ）に示すように重複するファイル名を付与してもよい。
【００５５】
　また、上記実施形態においては、カメラサーバ２においてデジタルカメラ１Ａ〜１Ｄにより取得された画像データを保管しているが、カメラサーバ２を設けることなく、マスターカメラであるデジタルカメラ１Ａにおいて、自身が取得した画像データおよび他のデジタルカメラ１Ｂ，１Ｃ，１Ｄが取得した画像データを保管してもよい。この場合、デジタルカメラ１Ｂ，１Ｃ，１Ｄからは、デジタルカメラ１Ａに直接画像データが送信される。なお、任意の１のスレーブカメラに、他のスレーブカメラおよびマスターカメラであるデジタルカメラ１Ａから画像データを直接送信し、その１のスレーブカメラにおいて画像データを保管してもよい。この場合、デジタルカメラ１Ａ〜１Ｄ間の通信は、図８に示すように、デジタルカメラ１Ａ〜１Ｄ同士で直接データのやりとりを行うピア・ツー・ピア通信方式を用いればよい。なお、ピア・ツー・ピア通信方式においては、デジタルカメラ１Ａ〜１Ｄ間のデータ転送は、データを発信するデジタルカメラから送信先のデジタルカメラへ向けて直接情報パケットを転送することにより行われる。
【００５６】
　また、上記実施形態において、マスターカメラおよびスレーブカメラの関係を各デジタルカメラ１Ａ〜１Ｄにおいて任意に切り替えられるようにしてもよい。
【００５７】
　また、上記実施形態においては、デジタルカメラ１Ａ〜１Ｄを用いた遠隔カメラシステムについて説明しているが、携帯電話、ＰＤＡ等のカメラ付きの携帯端末装置を用いて遠隔カメラシステムを構成することも可能である。この場合、カメラ付きの携帯端末装置とデジタルカメラとが混在したシステムであってもよい。なお、カメラ付き携帯端末装置はデジタルカメラ１Ａ〜１Ｄとは異なり、専用のシャッタボタンを含む撮影のための各種操作を行うための専用のボタンが設けられず、携帯端末装置の操作ボタンが撮影のための各種操作を行うボタンを兼用してなるものである。
【図面の簡単な説明】
【００５８】
【図１】本発明の実施形態による撮像装置制御装置を用いた遠隔カメラシステムの構成を示す概略ブロック図
【図２】デジタルカメラの構成を示す背面斜視図
【図３】モニタに表示される画像を示す図
【図４】デジタルカメラの数に応じて分割されたモニタの画面を示す図
【図５】画像データに付与されるファイル名を示す図
【図６】ファイル名管理リストを示す図
【図７】本実施形態において行われる処理を示すフローチャート
【図８】ピア・ツー・ピアの通信方式を説明するための図
【符号の説明】
【００５９】
　　　１Ａ〜１Ｄ　　デジタルカメラ
　　　２　　カメラサーバ
　　　３　　ネットワーク
　　　１１　　モニタ
　　　１２　　シャッタボタン
　　　１３　　無線ＬＡＮチップ
　　　１４　　入力手段
　　　１５　　スピーカ
　　　１６　　撮影通知手段
【図１】
2004140795.tif 000003
【図２】
2004140795.tif 000004
【図３】
2004140795.tif 000005
【図４】
2004140795.tif 000006
【図５】
2004140795.tif 000007
【図６】
2004140795.tif 000008
【図７】
2004140795.tif 000009
【図８】
2004140795.tif 000010